(57)【要約】【課題】局所排気装置が起動したとしても、室の室内気圧を目標気圧に維持することができる室圧制御システムを提供する。【解決手段】この室圧制御システム１０では、局所排気装置１４が起動すると、排気装置１４の空気排出量を参照し、目標気圧における旋回羽根２９の第１開度に対応する第１空気量から排気装置１４の空気排出量を減じて第２空気量を求めるとともに、第１相関関係を参照し、第２空気量に対応する旋回羽根２９の第２開度を求め、旋回羽根２９の開度を第１開度から第２開度に変更する。【選択図】図１
2008151483.tif 000002
【特許請求の範囲】
【請求項１】
所定容積の室に供給する空気量を一定に保持する定風量調整装置と、旋回羽根の旋回によって開閉される空気流路を有して前記室から排出する空気量を調節可能なダンパ装置と、前記ダンパ装置の旋回羽根の開度を制御して前記室の室内気圧を目標気圧に保持する制御装置とを備えた室圧制御システムにおいて、
前記室には、該室の空気を部分的に排出する少なくとも１つの局所排気装置が設置され、前記制御装置が、前記ダンパ装置の空気流路を通過する空気量と前記旋回羽根の開度との第１相関関係を記憶する第１相関関係記憶手段と、前記局所排気装置によって排出される空気の空気排出量を記憶する排出量記憶手段と、前記局所排気装置の起動と停止とを検出する排気装置状態検出手段と、前記排気装置状態検出手段を介して前記局所排気装置の起動を検出したときに、前記室の室内気圧を目標気圧に維持し得るように前記旋回羽根の開度を制御する開度制御手段とを有し、
前記開度制御手段では、前記局所排気装置の空気排出量を参照し、前記目標気圧における前記旋回羽根の第１開度に対応する第１空気量から前記局所排気装置の空気排出量を減じて第２空気量を求めるとともに、前記第１相関関係を参照し、前記第２空気量に対応する前記旋回羽根の第２開度を求め、前記旋回羽根の開度を前記第１開度から前記第２開度に変更することを特徴とする室圧制御システム。
【請求項２】
前記室には、該室に空気を部分的に供給する少なくとも１つの局所給気装置が設置され、前記制御装置が、前記局所給気装置から供給される空気の空気供給量を記憶する供給量記憶手段と、前記局所給気装置の起動と停止とを検出する給気装置状態検出手段とを含み、前記開度制御手段では、前記局所排気装置と前記局所給気装置とが起動すると、前記局所排気装置の空気排出量を参照しつつ、前記局所給気装置の空気供給量を参照し、前記目標気圧における前記旋回羽根の第１開度に対応する第１空気量から前記局所排気装置の空気排出量を減じるとともに前記局所給気装置の空気供給量を加えて前記第２空気量を求める請求項１記載の室圧制御システム。
【請求項３】
前記制御装置が、前記室の室内気圧と前記旋回羽根の開度との第２相関関係を記憶する第２相関関係記憶手段を含み、前記開度制御手段では、前記第２相関関係を参照して前記室の目標気圧に対応する旋回羽根の前記第１開度を求め、前記局所排気装置と前記局所給気装置との停止時に前記旋回羽根の開度を前記第１開度に保持する請求項２記載の室圧制御システム。
【請求項４】
前記開度制御手段では、起動中の前記局所排気装置と前記局所給気装置とが停止すると、前記旋回羽根の開度を前記第２開度から前記第１開度に変更する請求項２または請求項３に記載の室圧制御システム。
【請求項５】
前記開度制御手段では、前記第１相関関係を参照して前記第１開度に対応する第１空気量を求める請求項１ないし請求項４いずれかに記載の室圧制御システム。
【請求項６】
旋回羽根の旋回によって開閉される空気流路を有して所定容積の室に供給する空気量を調節可能なダンパ装置と、前記室から排出する空気量を一定に保持する定風量調節装置と、前記ダンパ装置の旋回羽根の開度を制御して前記室の室内気圧を目標気圧に保持する制御装置とを備えた室圧制御システムにおいて、
前記室には、該室の空気を部分的に排出する少なくとも１つの局所排気装置が設置され、前記制御装置が、前記ダンパ装置の空気流路を通過する空気量と前記旋回羽根の開度との第１相関関係を記憶する第１相関関係記憶手段と、前記局所排気装置によって排出される空気の空気排出量を記憶する排出量記憶手段と、前記局所排気装置の起動と停止とを検出する排気装置状態検出手段と、前記排気装置状態検出手段を介して前記局所排気装置の起動を検出したときに、前記室の室内気圧を目標気圧に保持し得るように前記旋回羽根の開度を制御する開度制御手段とを有し、
前記開度制御手段では、前記局所排気装置の空気排出量を参照し、前記目標気圧における前記旋回羽根の第１開度に対応する第１空気量から前記局所排気装置の空気排出量を加えて第２空気量を求めるとともに、前記第１相関関係を参照し、前記第２空気量に対応する前記旋回羽根の第２開度を求め、前記旋回羽根の開度を前記第１開度から前記第２開度に変更することを特徴とする室圧制御システム。
【請求項７】
前記室には、該室に空気を部分的に供給する少なくとも１つの局所給気装置が設置され、前記制御装置が、前記局所給気装置から供給される空気の空気供給量を記憶する供給量記憶手段と、前記局所給気装置の起動と停止とを検出する給気装置状態検出手段とを含み、前記開度制御手段では、前記局所排気装置と前記局所給気装置とが起動すると、前記局所排気装置の空気排出量を参照しつつ、前記局所給気装置の空気供給量を参照し、前記目標気圧における前記旋回羽根の第１開度に対応する第１空気量から前記局所排気装置の空気排出量を加えるとともに前記局所給気装置の空気供給量を減じて前記第２空気量を求める請求項６記載の室圧制御システム。
【請求項８】
前記制御装置が、前記室の室内気圧と前記旋回羽根の開度との第２相関関係を記憶する第２相関関係記憶手段を含み、前記開度制御手段では、前記第２相関関係を参照して前記室の目標気圧に対応する旋回羽根の前記第１開度を求め、前記局所排気装置と前記局所給気装置との停止時に前記旋回羽根の開度を前記第１開度に保持する請求項７記載の室圧制御システム。
【請求項９】
前記開度制御手段では、起動中の前記局所排気装置と前記局所給気装置とが停止すると、前記旋回羽根の開度を前記第２開度から前記第１開度に変更する請求項７または請求項８に記載の室圧制御システム。
【請求項１０】
前記開度制御手段では、前記第１相関関係を参照して前記第１開度に対応する第１空気流量を求める請求項６ないし請求項９いずれかに記載の室圧制御システム。
【発明の詳細な説明】
【技術分野】
【０００１】
本発明は、局所排気装置や局所給気装置が設置された室の室内気圧を目標気圧に保持する室圧制御システムに関する。
【背景技術】
【０００２】
扉を介して隣接する複数の室の室内気圧を検出する気圧測定手段と、それら室どうしをつなぐ扉の開閉を識別する扉開閉識別手段とを有し、気圧測定手段を介して測定したそれら室の室内気圧に基づいて、それら室に連結された排気ダクトに設置した室圧調整用ダンパを調節し、室の室内気圧をそれら室に個別に設定された目標室内気圧に保持する空調システムがある（特許文献１参照）。
【０００３】
このシステムでは、扉開閉識別手段を介して扉が開扉されたと判断すると、開扉された扉を介してつながる室どうしを一室とみなし、それら室の目標室内気圧を互いに一致させるように、それら室に個別に設定された目標室内気圧を同一にする。また、扉開閉識別手段を介して扉が閉扉されたと判断すると、同一にした目標室内気圧をそれら室に個別に設定された目標室内気圧に戻す。このシステムは、開扉された扉を閉めた後において、室内気圧の制御量が周期的に大きく変動することはなく、室圧調整用ダンパの定常状態（十分に時間が経過して一定になっているはずの状態）に対する振れ（ハンチング）を防止することができる。
【特許文献１】特開平１０−８３２２１号公報
【発明の開示】
【発明が解決しようとする課題】
【０００４】
物品の加工時に塵や微粉、ガス等の不要物が発生する器具や機械を室に設置する場合、それら不要物を室内空気とともに吸引し、不要物を含む室内空気を室外に排出する局所排気装置を器具や機械の近傍に設置する場合がある。また、物品の加工時に熱が発生する器具や機械を室に設置する場合、熱を帯びた器具や機械を冷却するため、室内に空気を供給する局所給気装置を器具や機械の近傍に設置する場合がある。局所排気装置が起動して室から空気が排出され、局所給気装置が起動して室に空気が供給されると、室の室内気圧が乱れ、室内気圧が目標気圧から外れてしまう場合がある。局所給気装置が起動して室内の室内気圧が目標気圧から外れると、それをセンサによって検出し、制御手段によって室の室内気圧を目標気圧に復帰させることはできるが、一時的に目標気圧からの逸脱が生じる。なお、前記公報に開示の空調システムでは、局所排気装置や局所給気装置が起動したときに、室内気圧を目標気圧に保持し得る手段がなく、それら装置の起動によって室内気圧が目標気圧から外れたとしても、室内気圧を目標気圧に戻すことができない。
【０００５】
本発明の目的は、局所排気装置や局所給気装置が起動したとしても、室の室内気圧を目標気圧に維持することができる室圧制御システムを提供することにある。
【課題を解決するための手段】
【０００６】
前記課題を解決するための本発明の第１の前提は、所定容積の室に供給する空気量を一定に保持する定風量調整装置と、旋回羽根の旋回によって開閉される空気流路を有して室から排出する空気量を調節可能なダンパ装置と、ダンパ装置の旋回羽根の開度を制御して室の室内気圧を目標気圧に保持する制御装置とを備えた室圧制御システムである。
【０００７】
前記第１の前提における本発明の第１の特徴として、室には、該室の空気を部分的に排出する少なくとも１つの局所排気装置が設置され、制御装置が、ダンパ装置の空気流路を通過する空気量と旋回羽根の開度との第１相関関係を記憶する第１相関関係記憶手段と、局所排気装置によって排出される空気の空気排出量を記憶する排出量記憶手段と、局所排気装置の起動と停止とを検出する排気装置状態検出手段と、排気装置状態検出手段を介して局所排気装置の起動を検出したときに、室の室内気圧を目標気圧に維持し得るように旋回羽根の開度を制御する開度制御手段とを有し、開度制御手段では、局所排気装置の空気排出量を参照し、目標気圧における旋回羽根の第１開度に対応する第１空気量から局所排気装置の空気排出量を減じて第２空気量を求めるとともに、第１相関関係を参照し、第２空気量に対応する旋回羽根の第２開度を求め、旋回羽根の開度を第１開度から第２開度に変更する。
【０００８】
前記第１の特徴を有する本発明の一例として、室には、該室に空気を部分的に供給する少なくとも１つの局所給気装置が設置され、制御装置が、局所給気装置から供給される空気の空気供給量を記憶する供給量記憶手段と、局所給気装置の起動と停止とを検出する給気装置状態検出手段とを含み、開度制御手段では、局所排気装置と局所給気装置とが起動すると、局所排気装置の空気排出量を参照しつつ、局所給気装置の空気供給量を参照し、目標気圧における旋回羽根の第１開度に対応する第１空気量から局所排気装置の空気排出量を減じるとともに局所給気装置の空気供給量を加えて前記第２空気量を求める。
【０００９】
前記課題を解決するための本発明の第２の前提は、旋回羽根の旋回によって開閉される空気流路を有して所定容積の室に供給する空気量を調節可能なダンパ装置と、室から排出する空気量を一定に保持する定風量調節装置と、ダンパ装置の旋回羽根の開度を制御して室の室内気圧を目標気圧に保持する制御装置とを備えた室圧制御システムである。
【００１０】
前記第２の前提における本発明の第２の特徴として、室には、該室の空気を部分的に排出する少なくとも１つの局所排気装置が設置され、制御装置が、ダンパ装置の空気流路を通過する空気量と旋回羽根の開度との第１相関関係を記憶する第１相関関係記憶手段と、局所排気装置によって排出される空気の空気排出量を記憶する排出量記憶手段と、局所排気装置の起動と停止とを検出する排気装置状態検出手段と、排気装置状態検出手段を介して局所排気装置の起動を検出したときに、室の室内気圧を目標気圧に保持し得るように旋回羽根の開度を制御する開度制御手段とを有し、開度制御手段では、局所排気装置の空気排出量を参照し、目標気圧における旋回羽根の第１開度に対応する第１空気量から局所排気装置の空気排出量を加えて第２空気量を求めるとともに、第１相関関係を参照し、第２空気量に対応する旋回羽根の第２開度を求め、旋回羽根の開度を第１開度から第２開度に変更する。
【００１１】
前記第２の特徴を有する本発明の一例として、室には、該室に空気を部分的に供給する少なくとも１つの局所給気装置が設置され、制御装置が、局所給気装置から供給される空気の空気供給量を記憶する供給量記憶手段と、局所給気装置の起動と停止とを検出する給気装置状態検出手段とを含み、開度制御手段では、局所排気装置と局所給気装置とが起動すると、局所排気装置の空気排出量を参照しつつ、局所給気装置の空気供給量を参照し、目標気圧における旋回羽根の第１開度に対応する第１空気量から局所排気装置の空気排出量を加えるとともに局所給気装置の空気供給量を減じて第２空気量を求める。
【００１２】
前記第１および第２の特徴を有する本発明の他の一例としては、制御装置が室の室内気圧と旋回羽根の開度との第２相関関係を記憶する第２相関関係記憶手段を含み、開度制御手段では、第２相関関係を参照して室の目標気圧に対応する旋回羽根の第１開度を求め、局所排気装置と局所給気装置との停止時に旋回羽根の開度を第１開度に保持する。
【００１３】
前記第１および第２の特徴を有する本発明の他の一例として、開度制御手段では、起動中の局所排気装置と局所給気装置とが停止すると、旋回羽根の開度を第２開度から第１開度に変更する。
【００１４】
前記第１および第２の特徴を有する本発明の他の一例として、開度制御手段では、第１相関関係を参照して第１開度に対応する第１空気流量を求める。
【発明の効果】
【００１５】
第１の特徴を有する本発明の室圧制御システムによれば、目標気圧における旋回羽根の第１開度に対応する第１空気量から局所排気装置の空気排出量を減じて第２空気量を求めるとともに、第２空気量に対応する旋回羽根の第２開度を求め、旋回羽根の開度を第１開度から第２開度に変更するから、局所排気装置の空気排気量にあわせてダンパ装置の旋回羽根の開度を制御することができ、局所排気装置が起動したとしても、室の室内気圧が目標気圧の範囲から外れることはなく、室内気圧を目標気圧に維持することができる。この室圧制御システムは、局所排気装置が起動して室内気圧が目標気圧の範囲から外れた後に室内気圧を目標気圧に徐々に復帰させるフィードバック制御とは異なり、局所排気装置が起動した時点で、旋回羽根の開度を第１開度から第２開度に変更するから、室内気圧が目標気圧から外れることはなく、局所排気装置が設置された室において、室内気圧の変動がない空調環境を作ることができる。
【００１６】
第１の特徴を有する室圧制御システムは、局所排気装置と局所給気装置との起動を検出すると、目標気圧における旋回羽根の第１開度に対応する第１空気量から局所排気装置の空気排出量を減じるとともに局所給気装置の空気供給量を加えて第２空気量を求め、旋回羽根の開度を第１空気量に対応する第１開度から第２空気量に対応する第２開度に変更するから、局所排気装置の空気排気量と局所給気装置の空気供給量とにあわせてダンパ装置の旋回羽根の開度を制御することができ、局所排気装置と局所給気装置とが起動したとしても、室の室内気圧が目標気圧の範囲から外れることはなく、室内気圧を目標気圧に維持することができる。この室圧制御システムは、局所排気装置や局所給気装置が起動して室内気圧が目標気圧の範囲から外れた後に室内気圧を目標気圧に徐々に復帰させるフィードバック制御とは異なり、局所排気装置や局所給気装置が起動した時点で、旋回羽根の開度を第１開度から第２開度に変更するから、室内気圧が目標気圧から外れることはなく、局所排気装置や局所給気装置が設置された室において、室内気圧の変動がない空調環境を作ることができる。
【００１７】
第２の特徴を有する本発明の室圧制御システムによれば、目標気圧における旋回羽根の第１開度に対応する第１空気量から局所排気装置の空気排出量を加えて第２空気量を求めるとともに、第２空気量に対応する旋回羽根の第２開度を求め、旋回羽根の開度を第１開度から第２開度に変更するから、局所排気装置の空気排気量にあわせてダンパ装置の旋回羽根の開度を制御することができ、局所排気装置が起動したとしても、室の室内気圧が目標気圧の範囲から外れることはなく、室内気圧を目標気圧に維持することができる。この室圧制御システムは、局所排気装置が起動して室内気圧が目標気圧の範囲から外れた後に室内気圧を目標気圧に徐々に復帰させるフィードバック制御とは異なり、局所排気装置が起動した時点で、旋回羽根の開度を第１開度から第２開度に変更するから、室内気圧が目標気圧から外れることはなく、局所排気装置が設置された室において、室内気圧の変動がない空調環境を作ることができる。
【００１８】
第２の特徴を有する室圧制御システムは、局所排気装置と局所給気装置との起動を検出すると、目標気圧における旋回羽根の第１開度に対応する第１空気量から局所排気装置の空気排出量を加えるとともに局所給気装置の空気供給量を減じて第２空気量を求め、旋回羽根の開度を第１空気量に対応する第１開度から第２空気量に対応する第２開度に変更するから、局所排気装置の空気排気量と局所給気装置の空気供給量とにあわせてダンパ装置の旋回羽根の開度を制御することができ、局所排気装置と局所給気装置とが起動したとしても、室の室内気圧が目標気圧の範囲から外れることはなく、室内気圧を目標気圧に維持することができる。この室圧制御システムは、局所排気装置や局所給気装置が起動して室内気圧が目標気圧の範囲から外れた後に室内気圧を目標気圧に徐々に復帰させるフィードバック制御とは異なり、局所排気装置や局所給気装置が起動した時点で、旋回羽根の開度を第１開度から第２開度に変更するから、室内気圧が目標気圧から外れることはなく、局所排気装置や局所給気装置が設置された室において、室内気圧の変動がない室内環境を作ることができる。
【００１９】
第１および第２の特徴を有する室圧制御システムは、第２相関関係を参照して室の目標気圧に対応する旋回羽根の第１開度を求め、局所排気装置や局所給気装置の停止時に旋回羽根の開度を第１開度に保持するから、局所排気装置や局所給気装置の停止中に室内気圧を目標気圧に保持することができる。この室圧制御システムは、第２相関関係から目標気圧に対応する第１開度を求めることができるから、室内の気圧を常時測定して測定気圧と目標気圧とを一致させるフィードバック制御を行うことなく、室内気圧を目標気圧に維持することができる。この室圧制御システムは、室内にフィードバック制御の制御要素を形成する室圧センサを設置する必要はなく、システムの簡略化や低コスト化、省スペース化を図ることができる。
【００２０】
第１および第２の特徴を有する室圧制御システムは、起動中の局所排気装置や局所給気装置が停止すると、旋回羽根の開度を第２開度から第１開度に変更するから、局所排気装置や局所給気装置が停止した後においてフィードバック制御を行うことなく、室内気圧を目標気圧に保持することができる。この室圧制御システムは、局所排気装置や局所給気装置の起動や停止が繰り返される室において、室内気圧の変動がない室内環境を作ることができる。
【００２１】
第１および第２の特徴を有する室圧制御システムは、第１相関関係を参照して第１開度に対応する第１空気量を求めるから、室の目標気圧が変更されることによって第１開度が変動したとしても、第１相関関係から第１開度に対応する第１空気量を求め、第１空気量から第２空気量を求めることができるとともに、第２空気量に対応する旋回羽根の第２開度を一連に求めることができる。この室圧制御システムは、局所排気装置や局所給気装置が起動したとしても、室の室内気圧が目標気圧の範囲から外れることはなく、室内気圧を目標気圧に維持することができる。
【発明を実施するための最良の形態】
【００２２】
添付の図面を参照し、本発明に係る室圧制御システムの詳細を説明すると、以下のとおりである。図１は、一例として示す室圧制御システム１０の構成図であり、図２は、コントローラ１５のメモリに格納された第１相関関係と第２相関関係とを示す図である。図１では、室１１をその側方から示している。図１では室１１を１つだけ示しているが、室１１を１つに限定するものではなく、複数の室が連なる環境に対してこの室圧制御システム１０を適用することもできる。図２では、第１離散データを■で示し、第２離散データを●で示す。図２の左縦軸には、モータダンパ２７（ダンパ装置）の空気流路を通過する空気流量（ｍ３／ｈ）が表され、図２の右縦軸には、室１１の室内気圧（Ｐａ）が表されている。図２の横軸には、旋回羽根２９の開度（％）が表されている。第１相関関係は、モータダンパ２７の空気流路を通過する空気量とモータダンパ２７の旋回羽根２９の開度との相関関係を示す。第２相関関係は、室１１の室内気圧とモータダンパ２７の旋回羽根２９の開度との相関関係を示す。
【００２３】
この室圧制御システム１０は、所定容積を有する室１１と、室１１に空気を供給する給気機構１２と、室１１から空気を排出する排気機構１３と、室１１の一部から空気を排出する局所排気装置１４と、コントローラ１５（制御装置）とから形成されている。室１１は、その四方を天井１６および床１７と、前後壁１８および側壁１９とに囲繞されている。天井１６には、給気機構１２から供給される空気を室１１の内部に取り入れるための給気口（図示せず）が施設されている。側壁１９には、排気機構１３によって室１１の内部から空気を排出するための排気口２０が施設されている。前壁１８には、室１１に出入りするためのドア２１が設置されている。室１１の室内気圧は、あらかじめ設定された目標室内気圧（目標気圧）に保持される。室１１の目標室内気圧に特に限定はなく、室１１の用途や室１１の容積等によって目標室内気圧を適宜設定することができる。室１１の用途や容積についても特に限定はない。なお、図示はしていないが、室１１の内部には、物品の加工時に塵や微粉、ガス等の不要物が発生する器具や機械が設置されている。
【００２４】
給気機構１２は、室１１の内部に空気を流入させる給気ダクト２２（給気管路）と、室１１に所定量の空気を強制的に送風する給気用送風機２３と、室１１に一定量の空気を供給する定風量ユニット２４（定風量調整装置）とから形成されている。給気ダクト２２は、天井１６の上方に配置され、天井１６に施設された給気口につながっている。給気用送風機２３および定風量ユニット２４は、給気ダクト２２に取り付けられている。給気用送風機２３および定風量ユニット２４には、線路（図示せず）を介して所定の電力が供給されている。給気用送風機２３から送風された空気は、給気ダクト２２を通って定風量ユニット２４に進入し、ユニット２４からダクト２２を通って室１１の内部に流入する。定風量ユニット２４は、給気ダクト２２の内部気圧の変動に対してユニット２４内を通る空気量を調節し、室１１へ供給する空気量を常時一定に保持する。
【００２５】
排気機構１３は、室１１から室外に空気を流出させる排気ダクト２５（排気管路）と、室１１から所定量の空気を強制的に排出する排気用送風機２６と、室１１から排出される空気量を調節可能なモータダンパ２７とから形成されている。排気ダクト２５は、床１７の下方に配置され、側壁１９に施設された排気口２０につながっている。排気用送風機２６およびモータダンパ２７は、排気ダクト２５に取り付けられている。排気用送風機２６およびモータダンパ２７には、線路（図示せず）を介して所定の電力が供給されている。室１１の内部に流入した空気は、排気ダクト２５を通ってモータダンパ２７に進入し、ダンパ２７からダクト２５を通って排気用送風機２６に流入する。
【００２６】
モータダンパ２７は、モジュトロールモータ（図示せず）と、モータの回転を制御する制御部２８と、モータの駆動力によって旋回する旋回羽根２９と、旋回羽根２９の旋回によって開閉される空気流路（図示せず）とから形成されている。モータダンパ２７の制御部２８は、インターフェイス３０を介してコントローラ１５に接続されている。モータダンパ２７では、制御部２８からの制御信号によってモジュトロールモータが回転するとともに旋回羽根２９が所定角度に旋回し、空気流路に対する羽根２９の開度を調整して空気流路を通過する空気量を調節する。モータダンパ２７には、平行翼ダンパまたは対向翼ダンパを使用することができる。
【００２７】
局所排気装置１４は、塵や微粉、ガス等の不要物を室１１の内部の空気とともに吸引し、不要物を含む空気を室外に排出する。排気装置１４は、室１１の一部から室外に空気を流出させる排気ダクト３１（排気管路）と、室１１から所定量の空気を強制的に排出する排気用送風機３２とから形成されている。排気用送風機３２には、線路（図示せず）を介して所定の電力が供給されている。排気用送風機３２は、その制御部（図示せず）がインターフェイス３０を介してコントローラ１５に接続されている。室１１の内部に延びる排気ダクト３１の端部は、不要物が発生する器具や機械の近傍に配置される。不要物を含む空気は、排気ダクト３１を通って排気用送風機３２に流入する。
【００２８】
コントローラ１５は、ＣＰＵ（中央処理装置）とメモリ（主記憶装置）とを有するコンピュータである。コントローラ１５には、線路（図示せず）を介して所定の電力が供給されている。コントローラ１５は、室外に設置されているが、室１１の内部に設置される場合もある。コントローラ１５には、図示はしていないが、ＯＮ／ＯＦＦスイッチやキーユニット等の入力装置、プリンタやディスプレイ等の出力装置がインターフェイスを介して接続されている。コントローラ１５のＣＰＵは、メモリに記憶されたオペレーティングシステムによる制御に基づいて、メモリからアプリケーションプログラムを起動し、起動したアプリケーションプログラムに従って、以下の各手段を実行する。
【００２９】
コントローラ１５のＣＰＵは、サンプリングした第１離散データを使用し、モータダンパ２７の空気流路を通過する空気流量とダンパ２７の旋回羽根２９の開度との関係を規定した第１相関関係を生成する第１相関関係生成手段、サンプリングした第２離散データを使用し、室１１の室内気圧とダンパ２７の旋回羽根２９の開度との関係を規定した第２相関関係を生成する第２相関関係生成手段を実行する。ＣＰＵは、生成した第１相関関係を記憶する第１相関関係記憶手段、生成した第２相関関係を記憶する第２相関関係記憶手段、局所排気装置によって排出される空気の空気排出量を記憶する排出量記憶手段を実行する。さらに、局所排気装置１４（排気用送風機３２）の起動と停止とを検出する排気装置状態検出手段と、室１１の室内気圧を目標室内気圧に保持し得るようにダンパ２７の旋回羽根２９の開度を制御する開度制御手段を実行する。
【００３０】
旋回羽根２９の開度は、羽根２９の全開状態を１００としたときの羽根２９の開き具合を割合（％）で示した数値である。たとえば、旋回羽根２９の開度が１０％の場合は、全開状態に対して羽根２９が１０％開いた状態にあり、旋回羽根２９の開度が５０％の場合は、全開状態に対して羽根２９が半分開いた状態にある。コントローラ１５のメモリには、図２に示すように、第１相関関係生成手段によって生成された第１相関関係が空気量−開度曲線Ｌ１（図表）として格納され、第２相関関係生成手段によって生成された第２相関関係が室内気圧−開度曲線Ｌ２（図表）として格納されている。
【００３１】
コントローラ１５のＣＰＵが行う第１相関関係の生成手順の一例は、以下のとおりである。複数の空気流量（ｍ３／ｈ）を設定し、それら空気流量に対応する複数の開度（％）を求め、空気流量と開度とから形成される複数の第１離散データをあらかじめサンプリングし、それを記録しておく。入力装置を介してサンプリングした第１離散データをコントローラ１５に入力する。第１離散データの一例は、ダンパ２７の旋回羽根２９の開度を（ｘ）とし、空気流路を通る空気流量を（ｙ）とすると、（ｘ１，ｙ１），（ｘ２，ｙ２），（ｘ３，ｙ３）・・・となる。その具体例は、（ｘ１，ｙ１）＝（１０％，８００ｍ３／ｈ），（ｘ２，ｙ２）＝（２０％，１２００ｍ３／ｈ），（ｘ３，ｙ３）＝（３０％，１６００ｍ３／ｈ）である。それら離散データからモータダンパ２７の流量特性を一次精度の関数または二次精度の関数として近似する。
【００３２】
一次精度（ただし、区間をｘ１≦ｘ＜ｘ２とする）において（ｘ）＝１２％場合における（ｙ）を求める。ｙ（ｘ）＝（ｘ−ｘ２）／（ｘ１−ｘ２）×ｙ１＋（ｘ−ｘ２）／（ｘ１−ｘ２）×ｙ２に（ｘ）＝１２を代入する。ｙ（１２）＝（１２−２０）／（１０−２０）×８００＋（１２−１０）／（１０−２０）×１３００＝９００（ｍ３／ｈ）となる。二次精度（ラグランジュ補間）（ただし、区間をｘ１≦ｘ＜ｘ３とする）において（ｘ）＝１２％場合における（ｙ）を求める。ｙ（ｘ）＝｛（ｘ−ｘ２）×（ｘ−ｘ３）｝／｛（ｘ１−ｘ２）×（ｘ１−ｘ３）｝×ｙ１＋｛（ｘ−ｘ１）×（ｘ−ｘ３）｝／｛（ｘ２−ｘ１）×（ｘ２−ｘ３）｝×ｙ２＋｛（ｘ−ｘ１）×（ｘ−ｘ２）｝／｛（ｘ３−ｘ１）×（ｘ３−ｘ２）｝×ｙ３に（ｘ）＝１２を代入する。ｙ（１２）＝｛（１２−２０）×（１２−３０）｝／｛（１０−２０）×（１０−３０）｝×８００＋｛（１２−１０）×（１２−３０）｝／｛（２０−１０）×（２０−３０）｝×１３００＋｛（１２−１０）×（１２−２０）｝／｛（３０−１０）×（３０−２０）｝×１６００＝９７２（ｍ３／ｈ）となる。コントローラ１５のＣＰＵは、（ｘ）の各値に対する（ｙ）の値を算出し、（ｘ）と（ｙ）とから形成される関数による線を画くことによって、空気量−開度曲線Ｌ１を作る（第１相関関係生成手段）。コントローラ１５のＣＰＵは、第１相関関係生成手段によって生成した第１相関関係をメモリに格納する（第１相関関係記憶手段）。
【００３３】
コントローラ１５のＣＰＵが行う第２相関関係の生成手順の一例は、以下のとおりである。複数の室内気圧（Ｐａ）を設定し、それら室内気圧に対応する複数の開度（％）を求め、室内気圧と開度とから形成される複数の第２離散データをあらかじめサンプリングし、それを記録しておく。入力装置を介してサンプリングした第２離散データをコントローラ１５に入力する。第２離散データの一例は、ダンパ２７の旋回羽根２９の開度を（ｘ）とし、室内気圧を（ｙ）とすると、（ｘ１，ｙ１），（ｘ２，ｙ２），（ｘ３，ｙ３）・・・となる。その具体例は、（ｘ１，ｙ１）＝（１０％，５０Ｐａ），（ｘ２，ｙ２）＝（２０％，４０Ｐａ），（ｘ３，ｙ３）＝（３０％，２０Ｐａ）である。それら離散データからモータダンパ２７の流量特性を一次精度の関数または二次精度の関数として近似する。
【００３４】
一次精度（ただし、区間をｘ１≦ｘ＜ｘ２とする）において（ｘ）＝１２％場合における（ｙ）を求める。ｙ（ｘ）＝（ｘ−ｘ２）／（ｘ１−ｘ２）×ｙ１＋（ｘ−ｘ２）／（ｘ１−ｘ２）×ｙ２に（ｘ）＝１２を代入する。ｙ（１２）＝（１２−２０）／（１０−２０）×５０＋（１２−１０）／（１０−２０）×４０＝４８（Ｐａ）となる。二次精度（ラグランジュ補間）（ただし、区間をｘ１≦ｘ＜ｘ３とする）において（ｘ）＝１２％場合における（ｙ）を求める。ｙ（ｘ）＝｛（ｘ−ｘ２）×（ｘ−ｘ３）｝／｛（ｘ１−ｘ２）×（ｘ１−ｘ３）｝×ｙ１＋｛（ｘ−ｘ１）×（ｘ−ｘ３）｝／｛（ｘ２−ｘ１）×（ｘ２−ｘ３）｝×ｙ２＋｛（ｘ−ｘ１）×（ｘ−ｘ２）｝／｛（ｘ３−ｘ１）×（ｘ３−ｘ２）｝×ｙ３に（ｘ）＝１２を代入する。ｙ（１２）＝｛（１２−２０）×（１２−３０）｝／｛（１０−２０）×（１０−３０）｝×５０＋｛（１２−１０）×（１２−３０）｝／｛（２０−１０）×（２０−３０）｝×４０＋｛（１２−１０）×（１２−２０）｝／｛（３０−１０）×（３０−２０）｝×２０＝４８．８（Ｐａ）となる。コントローラ１５のＣＰＵは、（ｘ）の各値に対する（ｙ）の値を算出し、（ｘ）と（ｙ）とから形成される関数による線を画くことによって、室内気圧−開度曲線Ｌ２を作る（第２相関関係生成手段）。コントローラ１５のＣＰＵは、第２相関関係生成手段によって生成した第２相関関係をメモリに格納する（第２相関関係記憶手段）。
【００３５】
この室圧制御システム１０では、図１に矢印Ａ１で示すように、給気用送風機２３を介して給気ダクト２２から室１１の内部へ所定量の空気が供給され、矢印Ａ２で示すように、排気用送風機２６を介して室１１から排気ダクト２５へ所定量の空気が排出されている。システム１０では、給気用ダクト２２の内部を流れる空気に圧力変動が生じたとしても、定風量ユニット２４によってダクト２２の空気通過量が一定に保持され、常時一定量の空気が室１１の内部に供給される。室１１から排気ダクト２５に排出される空気量は、モータダンパ２７によって調節される。排気装置状態検出手段では、局所排気装置１４の起動と停止とを排気用送風機３２のＯＮ／ＯＦＦによって判断する。コントローラ１５のＣＰＵは、排気用送風機３２のスイッチがＯＦＦ状態にあると、排気装置１４が停止しているものと判断し、排気用送風機３２のスイッチがＯＦＦ状態からＯＮ状態になると、排気装置１４が起動したものと判断する。さらに、排気用送風機３２のスイッチがＯＮ状態からＯＦＦ状態になると、排気装置１４が停止したものと判断する。入力装置によって局所排気装置１４の空気排出量をコントローラ１５に入力すると、その空気排出量がコントローラ１５のメモリに格納される（排出量記憶手段）。コントローラ１５のメモリには、排気装置１４の空気排出量として３００（ｍ３／ｈ）が格納されているものとする。
【００３６】
この室圧制御システム１０を起動させると、給気機構１２と排気機構１３とコントローラ１５とが稼動する。なお、局所排気装置１４は停止している。入力装置から室１１の目標室内気圧を入力すると、コントローラ１５のＣＰＵは、メモリに格納された第２相関関係を参照し、入力された目標室内気圧に対応する旋回羽根２９の第１開度を室内気圧−開度曲線Ｌ２から求め、モータダンパ２７の制御部２８に羽根２９の開度を求めた第１開度に維持する指令を出力する（開度制御手段）。ダンパ２７の制御部２８は、コントローラ１５からの指令に従い、モジュトロールモータによって羽根２９の開度を第１開度に変更し、第１開度を保持する。局所排気装置１４の停止中では、旋回羽根２９の開度を第１開度に保持することで、モータダンパ２７の空気流路を通る空気の空気量が一定に保持され、それによって、室１１の室内気圧が目標室内気圧に維持される。具体的には、図２に示すように、目標室内気圧を５Ｐａに設定すると、右縦軸の５Ｐａから室内気圧−開度曲線Ｌ２に向かって延びる線分と曲線Ｌ２との交点における開度（約４８％）を求め、旋回羽根２９の開度が４８％に保持される。室圧制御システム１０は、第２相関関係を参照して室１１の目標室内気圧に対応する旋回羽根２９の第１開度を求め、局所排気装置１４の停止時に旋回羽根２９の開度を第１開度に保持するから、排気装置１４の停止中に室内気圧を目標室内気圧に維持することができる。
【００３７】
システム１０の稼働中に排気用送風機３２のスイッチがＯＮ状態になると、コントローラ１５のＣＰＵは、排気装置１４が起動したものと判断する（排気装置状態検出手段）。局所排気装置１４が起動すると、図１に矢印Ａ３で示すように、排気用送風機３２を介して室１１から排気ダクト３１へ所定量の空気が排出される。
【００３８】
コントローラ１５のＣＰＵは、排気装置１４が起動したと判断すると、空気量−開度曲線Ｌ１を参照し、第１開度に対応する第１空気量を求める。次に、局所排気装置１４の空気排出量を参照し、第１空気量から排気装置１４の空気排出量を減じて第２空気量を求めるとともに、空気量−開度曲線Ｌ１を参照し、第２空気量に対応する旋回羽根２９の第２開度を求め、旋回羽根２９の開度を第１開度から第２開度に変更する指令をモータダンパ２７の制御部２８に出力する（開度制御手段）。モータダンパ２７の制御部２８は、コントローラ１５からの指令に従い、モジュトロールモータによって羽根２９の開度を第１開度から第２開度に変更し、第２開度を保持する。旋回羽根２９の開度を第２開度に保持することで、室１１の室内気圧が目標室内気圧に維持される。具体的には、図２に示すように、目標室内気圧５Ｐａの第１開度４８％に対応する第１空気量２１００ｍ３／ｈを求め、第１空気量２１００ｍ３／ｈから局所排気装置１４の空気排出量３００ｍ３／ｈを減じて第２空気量１８００ｍ３／ｈを求めるとともに、第２空気量１８００ｍ３／ｈに対応する第２開度３６％を求める。旋回羽根２９の開度は、３６％に保持される。
【００３９】
この室圧制御システム１０は、モータダンパ２７の空気流路を通る第２空気量に局所排気装置１４の空気排出量を加えた空気量が第１空気量となるように、第１空気量から排気装置１４の空気排出量を減じるから、排気装置１４の停止中と起動中とにおいて目標室内気圧に対応する空気量に差が生じることはない。室圧制御システム１０は、局所排気装置１４の空気排出量にあわせてモータダンパ２７の旋回羽根２９の開度を制御することができ、排気装置１４が起動したとしても、室１１の室内気圧が目標室内気圧の範囲から外れることはなく、室内気圧を目標室内気圧に維持することができる。室圧制御システム１０は、局所排気装置１４が起動して室内気圧が目標室内気圧の範囲から外れた後に室内気圧を目標室内気圧に徐々に復帰させるフィードバック制御とは異なり、排気装置１４が起動した時点で、旋回羽根２９の開度を第１開度から第２開度に変更するから、室内気圧が目標室内気圧から外れることはなく、排気装置１４が設置された室１１において、室内気圧の変動がない空調環境を作ることができる。
【００４０】
システム１０の稼働中に排気用送風機３２のスイッチがＯＮ状態からＯＦＦ状態になると、コントローラ１５のＣＰＵは、排気装置１４が停止したものと判断する（排気装置状態検出手段）。ＣＰＵは、排気装置１４が停止したと判断すると、旋回羽根２９の開度を第２開度から第１開度に変更する指令をモータダンパ２７の制御部２８に出力する（開度制御手段）。モータダンパ２７の制御部２８は、コントローラ１５からの指令に従い、モジュトロールモータによって羽根２９の開度を第２開度から第１開度に変更し、第１開度を保持する。排気装置１４が停止した後、旋回羽根２９の開度を第１開度に保持することで、室１１の室内気圧が目標室内気圧に維持される。この室圧制御システム１０は、起動中の局所排気装置１４が停止すると、旋回羽根２９の開度を第２開度から第１開度に変更するから、排気装置１４が停止した後においてフィードバック制御を行うことなく、室内気圧を目標室内気圧に維持することができる。
【００４１】
図３は、他の一例として示す室圧制御システム１０の概念図であり、図４は、図２と同様の第１相関関係と第２相関関係とを示す図である。図３では、室１１をその側方から示している。図３の室圧制御システム１０が図１のそれと異なるところは、室１１に２つの局所排気装置１４Ａ，１４Ｂと２つの局所給気装置３３Ａ，３３Ｂとが設置されている点にあり、その他の構成は図１の室圧制御システム１０と同一であるから、図１と同一の符号を付すことで、このシステム１０のその他の構成の説明は省略する。なお、図示はしていないが、室１１の内部には、物品の加工時に塵や微粉、ガス等の不要物が発生する器具や機械が設置され、物品の加工時に熱が発生する器具や機械が設置されている。
【００４２】
それら局所排気装置１４Ａ，１４Ｂは、塵や微粉、ガス等の不要物を室１１の内部の空気とともに吸引し、不要物を含む空気を室外に排出する。排気装置１４Ａ，１４Ｂは、室１１の一部から室外に空気を流出させる排気ダクト３１Ａ，３１Ｂ（排気管路）と、室１１から所定量の空気を強制的に排出する排気用送風機３２Ａ，３２Ｂとから形成されている。排気用送風機３２Ａ，３２Ｂには、線路を介して所定の電力が供給されている。排気用送風機３２Ａ，３２Ｂは、その制御部（図示せず）がインターフェイス３０を介してコントローラ１５に接続されている。室１１の内部に延びる排気ダクト３１Ａ，３１Ｂの端部は、不要物が発生する器具や機械の近傍に配置される。
【００４３】
それら局所給気装置３３Ａ，３３Ｂは、器具や機械の熱を冷却し、器具や機械の熱による損傷を防止する。給気装置３３Ａ，３３Ｂは、室１１の一部に空気を供給する給気ダクト３４Ａ，３４Ｂ（給気管路）と、室１１に所定量の空気を強制的に供給する給気用送風機３５Ａ，３５Ｂとから形成されている。給気用送風機３５Ａ，３５Ｂには、線路を介して所定の電力が供給されている。給気用送風機３５Ａ，３５Ｂは、その制御部（図示せず）がインターフェイス３０を介してコントローラ１５に接続されている。空気は、給気用送風機３５Ａ，３５Ｂからダクト３４Ａ，３４Ｂを通って室１１の内部に流入する。室１１の内部に延びる給気ダクト３４Ａ，３４Ｂの端部は、熱が発生する器具や機械の近傍に配置される。
【００４４】
コントローラ１５は、ＣＰＵとメモリとを有するコンピュータである。コントローラ１５には、線路を介して所定の電力が供給されている。コントローラ１５のＣＰＵは、図１のコントローラ１５のＣＰＵが実行する手段に加え、局所給気装置３３Ａ，３３Ｂから供給される空気の空気供給量を記憶する供給量記憶手段、給気用送風機３５Ａ，３５Ｂ（局所給気装置３３Ａ，３３Ｂ）の起動と停止とを検出する給気装置状態検出手段を実行する。コントローラ１５のメモリには、第１相関関係生成手段によって生成された第１相関関係が空気量−開度曲線Ｌ１（図表）として格納され（第１相関関係記憶手段）、第２相関関係生成手段によって生成された第２相関関係が室内気圧−開度曲線Ｌ２（図表）として格納されている（第２相関関係記憶手段）（図４参照）。コントローラ１５が行う第１相関関係の生成手順と第２相関関係の生成手順とは図１のそれらと同一であるから、それらの説明は省略する。
【００４５】
この室圧制御システム１０では、図３に矢印Ａ１で示すように、給気用送風機２３を介して給気ダクト２２から室１１の内部に所定量の空気が給気され、矢印Ａ２で示すように、排気用送風機２６を介して室１１から排気ダクト２５へ所定量の空気が排気されている。システム１０では、給気用ダクト２２の内部を流れる空気に圧力変動が生じたとしても、定風量ユニット２４によってダクト２２の空気通過量が一定に保持され、常時一定量の空気が室１１の内部に供給される。室１１から排気ダクト２５に排出される空気量は、モータダンパ２７によって調節される。排気装置状態検出手段では、局所排気装置１４Ａ，１４Ｂの起動と停止とを排気用送風機３２Ａ，３２ＢのＯＮ／ＯＦＦによって判断する。給気装置状態検出手段では、局所給気装置３３Ａ，３３Ｂの起動と停止とを給気用送風機３５Ａ，３５ＢのＯＮ／ＯＦＦによって判断する。
【００４６】
コントローラ１５のＣＰＵは、排気用送風機３２Ａ，３２Ｂおよび給気用送風機３５Ａ，３５ＢのスイッチがＯＦＦ状態にあると、排気装置１４Ａ，１４Ｂおよび給気装置３３Ａ，３３Ｂが停止しているものと判断し、排気用送風機３２Ａ，３２Ｂおよび給気用送風機３５Ａ，３５ＢのスイッチがＯＦＦ状態からＯＮ状態になると、排気装置１４Ａ，１４Ｂおよび給気装置３３Ａ，３３Ｂが起動したものと判断する。さらに、排気用送風機３２Ａ，３２Ｂおよび給気用送風機３５Ａ，３５ＢのスイッチがＯＮ状態からＯＦＦ状態になると、排気装置１４Ａ，１４Ｂおよび給気装置３３Ａ，３３Ｂが停止したものと判断する。入力装置によって局所排気装置１４Ａ，１４Ｂの空気排出量と局所給気装置３３Ａ，３３Ｂの空気供給量とをコントローラ１５に入力すると、それら空気排出量とそれら空気供給量とがコントローラ１５のメモリに格納される（排出量記憶手段、供給量記憶手段）。コントローラ１５のメモリには、排気装置１４Ａの空気排出量として３００（ｍ３／ｈ）が格納され、排気装置１４Ｂの空気排出量として２００（ｍ３／ｈ）が格納されているものとする。さらに、給気装置３３Ａの空気供給量として１５０（ｍ３／ｈ）が格納され、給気装置３３Ｂの空気供給量として２５０（ｍ３／ｈ）が格納されているものとする。
【００４７】
室圧制御システム１０を起動させると、給気機構１２と排気機構１３とコントローラ１５とが稼動する。なお、局所排気装置１４Ａ，１４Ｂおよび局所給気装置３３Ａ，３３Ｂは停止している。入力装置から室１１の目標室内気圧を入力すると、コントローラ１５のＣＰＵは、メモリに格納された第２相関関係を参照し、入力された目標室内気圧に対応する旋回羽根２９の第１開度を室内気圧−開度曲線Ｌ２から求め、モータダンパ２７の制御部２８に羽根２９の開度を求めた第１開度に維持する指令を出力する（開度制御手段）。ダンパ２７の制御部２８は、コントローラ１５からの指令に従い、モジュトロールモータによって羽根２９の開度を第１開度に変更し、第１開度を保持する。局所排気装置１４Ａ，１４Ｂや局所給気装置３３Ａ，３３Ｂの停止中では、旋回羽根２９の開度を第１開度に保持することで、モータダンパ２７の空気流路を通る空気の空気量が一定に保持され、それによって、室１１の室内気圧が目標室内気圧に維持される。具体的には、図１のシステム１０と同様に、目標室内気圧が５Ｐａであり、旋回羽根２９の開度が４８％に保持されている。室圧制御システム１０は、第２相関関係を参照して室１１の目標室内気圧に対応する旋回羽根２９の第１開度を求め、局所排気装置１４Ａ，１４Ｂや局所給気装置３３Ａ，３３Ｂの停止時に旋回羽根２９の開度を第１開度に保持するから、排気装置１４Ａ，１４Ｂや給気装置３３Ａ，３３Ｂの停止中に室内気圧を目標室内気圧に維持することができる。
【００４８】
システム１０の稼働中に排気用送風機３２Ａ，３２Ｂおよび給気用送風機３５Ａ，３５ＢのスイッチがＯＮ状態になると、コントローラ１５のＣＰＵは、排気装置１４Ａ，１４Ｂや給気装置３３Ａ，３３Ｂが起動したものと判断する（排気装置状態検出手段、給気装置状態検出手段）。局所排気装置１４Ａ，１４Ｂが起動すると、図３に矢印Ａ３で示すように、排気用送風機３２Ａ，３２Ｂを介して室１１から排気ダクト３１Ａ，３１Ｂへ所定量の空気が排出される。局所給気装置３３Ａ，３３Ｂが起動すると、図３に矢印Ａ４で示すように、給気用送風機３５Ａ，３５Ｂを介して給気ダクト３４Ａ，３４Ｂから室１１に所定量の空気が供給される。
【００４９】
コントローラ１５のＣＰＵは、局所排気装置１４Ａ，１４Ｂおよび局所給気装置３３Ａ，３３Ｂが起動したと判断すると、空気量−開度曲線Ｌ１を参照し、第１開度に対応する第１空気量を求める。次に、局所排気装置１４Ａ，１４Ｂの空気排出量を参照しつつ、局所給気装置３３Ａ，３３Ｂの空気供給量を参照し、第１空気量から排気装置１４Ａ，１４Ｂの総空気排出量を減じるとともに給気装置３３Ａ，３３Ｂの総空気供給量を加えて第２空気量を求める。ＣＰＵは、空気量−開度曲線Ｌ１を参照し、第２空気量に対応する旋回羽根２９の第２開度を求め、旋回羽根２９の開度を第１開度から第２開度に変更する指令をモータダンパ２７の制御部２８に出力する（開度制御手段）。モータダンパ２７の制御部２８は、コントローラ１５からの指令に従い、モジュトロールモータによって羽根２９の開度を第１開度から第２開度に変更し、第２開度を保持する。旋回羽根２９の開度を第２開度に保持することで、室１１の室内気圧が目標室内気圧に維持される。
【００５０】
具体的には、図４に示すように、目標室内気圧５Ｐａの第１開度４８％に対応する第１空気量２１００ｍ３／ｈを求め、第１空気量２１００ｍ３／ｈからそれら排気装置１４Ａ，１４Ｂの総空気排出量５００ｍ３／ｈを減じるとともにそれら給気装置３３Ａ，３３Ｂの総空気供給量４００ｍ３／ｈを加えて第２空気量２０００ｍ３／ｈを求めた後、第２空気量２０００ｍ３／ｈに対応する第２開度４４％を求める。旋回羽根２９開度は、４４％に保持される。なお、それら排気装置１４Ａ，１４Ｂおよびそれら給気装置３３Ａ，３３Ｂのうち、排気装置１４Ａと給気装置３３Ａとが起動すると、第１空気量２１００ｍ３／ｈから排気装置１４Ａの空気排出量３００ｍ３／ｈを減じるとともに給気装置３３Ａの空気供給量１５０ｍ３／ｈを加えて第２空気量１９５０ｍ３／ｈを求めた後、第２空気量１９５０ｍ３／ｈに対応する第２開度４２％を求める。旋回羽根２９開度は、４２％に保持される。
【００５１】
この室圧制御システム１０は、モータダンパ２７の空気流路を通る第２空気量に局所排気装置１４Ａ，１４Ｂの空気排出量と給気装置３３Ａ，３３Ｂの空気供給量との差を加えた空気量が第１空気量となるように、第１空気量から排気装置１４Ａ，１４Ｂの空気排出量を減じるとともに給気装置３３Ａ，３３Ｂの空気供給量を加えるから、排気装置１４Ａ，１４Ｂや給気装置３３Ａ，３３Ｂの停止中と起動中とにおいて目標室内気圧に対応する空気量に差が生じることはない。室圧制御システム１０は、局所排気装置１４Ａ，１４Ｂの空気排出量と局所給気装置３３Ａ，３３Ｂの空気供給量とにあわせてモータダンパ２７の旋回羽根２９の開度を制御することができ、それら排気装置１４Ａ，１４Ｂやそれら給気装置３３Ａ，３３Ｂが起動したとしても、室１１の室内気圧が目標室内気圧の範囲から外れることはなく、室内気圧を目標室内気圧に維持することができる。室圧制御システム１０は、局所排気装置１４Ａ，１４Ｂや局所給気装置３３Ａ，３３Ｂが起動して室内気圧が目標室内気圧の範囲から外れた後に室内気圧を目標室内気圧に徐々に復帰させるフィードバック制御とは異なり、排気装置１４Ａ，１４Ｂや給気装置３３Ａ，３３Ｂが起動した時点で、旋回羽根２９の開度を第１開度から第２開度に変更するから、室内気圧が目標室内気圧から外れることはなく、排気装置１４Ａ，１４Ｂや給気装置３３Ａ，３３Ｂが設置された室１１において、室内気圧の変動がない空調環境を作ることができる。
【００５２】
システム１０の稼働中に排気用送風機３２Ａ，３２ＢのスイッチがＯＮ状態からＯＦＦ状態になり、給気用送風機３５Ａ，３５ＢのスイッチがＯＮ状態からＯＦＦ状態になると、コントローラ１５のＣＰＵは、排気装置１４Ａ，１４Ｂおよび給気装置３３Ａ，３３Ｂが停止したものと判断する（排気装置状態検出手段、給気装置状態検出手段）。ＣＰＵは、排気装置１４Ａ，１４Ｂおよび給気装置３３Ａ，３３Ｂが停止したと判断すると、旋回羽根２９の開度を第２開度から第１開度に変更する指令をモータダンパ２７の制御部２８に出力する（開度制御手段）。モータダンパ２７の制御部２８は、コントローラ１５からの指令に従い、モジュトロールモータによって羽根２９の開度を第２開度から第１開度に変更し、第１開度を保持する。排気装置１４Ａ，１４Ｂおよび給気装置３３Ａ，３３Ｂが停止した後、旋回羽根２９の開度を第１開度に保持することで、室１１の室内気圧が目標室内気圧に維持される。この室圧制御システム１０は、起動中の局所排気装置１４Ａ，１４Ｂや局所給気装置３３Ａ，３３Ｂが停止すると、旋回羽根２９の開度を第２開度から第１開度に変更するから、排気装置１４Ａ，１４Ｂや給気装置３３Ａ，３３Ｂが停止した後においてフィードバック制御を行うことなく、室内気圧を目標室内気圧に維持することができる。
【００５３】
図５は、他の一例として示す室圧制御システム１０の概念図であり、図６は、図２と同様の第１相関関係と第２相関関係とを示す図である。図５では、室１１をその側方から示している。この室圧制御システム１０は、所定容積を有する室１１と、室１１に空気を供給する給気機構１２と、室１１から空気を排出する排気機構１３と、室１１の一部から空気を排出する局所排気装置１４と、コントローラ１５（制御装置）とから形成されている。室１１の天井１６には、給気機構１２から供給される空気を室１１の内部に取り入れるための給気口（図示せず）が施設されている。室１１の側壁１９には、排気機構１３によって室１１の内部から空気を排出するための排気口２０が施設されている。室１１の前壁１８には、室１１に出入りするためのドア２１が設置されている。室１１の室内気圧は、あらかじめ設定された目標室内気圧（目標気圧）に保持されている。なお、図示はしていないが、室１１の内部には、物品の加工時に塵や微粉、ガス等の不要物が発生する器具や機械が設置されている。
【００５４】
給気機構１２は、室１１の内部に空気を流入させる給気ダクト２２（給気管路）と、室１１に所定量の空気を強制的に送風する給気用送風機２３と、室１１に供給される空気量を調節可能なモータダンパ２７とから形成されている。給気ダクト２２は、天井１６の上方に配置され、天井１６に施設された給気口につながっている。給気用送風機２３およびモータダンパ２７は、給気ダクト２２に取り付けられている。給気用送風機２３やモータダンパ２７には、線路を介して所定の電力が供給されている。給気用送風機２３から送風された空気は、給気ダクト２２を通ってモータダンパ２７に進入し、ダンパ２７からダクト２２を通って室１１の内部に流入する。モータダンパ２７は、旋回羽根２９の開度を調整して空気流路を通過する空気量を調節する。ダンパ２７の構成は図１のそれと同一であるから、その説明は省略する。
【００５５】
排気機構１３は、室１１から室外に空気を流出させる排気ダクト２５（排気管路）と、室１１から所定量の空気を強制的に排出する排気用送風機２６と、室１１から排出される空気量を一定に保持する定風量ユニット２４（定風量調整装置）とから形成されている。排気ダクト２５は、床１７の下方に配置され、側壁１９に施設された排気口２０につながっている。排気用送風機２６および定風量ユニット２４は、排気ダクト２５に取り付けられている。排気用送風機２６および定風量ユニット２４には、線路を介して所定の電力が供給されている。室１１の内部に流入した空気は、排気ダクト２５を通って定風量ユニット２４に進入し、ユニット２４からダクト２５を通って排気用送風機２６に流入する。定風量ユニット２４は、排気ダクト２５の内部気圧の変動に対してユニット２４内を通る空気量を調節し、室１１から排出される空気量を常時一定に保持する。
【００５６】
コントローラ１５は、ＣＰＵとメモリとを有するコンピュータである。コントローラ１５には、線路を介して所定の電力が供給されている。コントローラ１５のＣＰＵが実行する各手段は、図１のコントローラ１５のＣＰＵが実行する手段と同一である。コントローラ１５のメモリには、第１相関関係生成手段によって生成された第１相関関係が空気量−開度曲線Ｌ１（図表）として格納され（第１相関関係記憶手段）、第２相関関係生成手段によって生成された第２相関関係が室内気圧−開度曲線Ｌ２（図表）として格納されている（第２相関関係記憶手段）（図６参照）。コントローラ１５が行う第１相関関係の生成手順と第２相関関係の製せ手順とは図１のそれらと同一であるから、それらの説明は省略する。
【００５７】
この室圧制御システム１０では、図５に矢印Ａ１で示すように、給気用送風機２３を介して給気ダクト２２から室１１の内部へ所定量の空気が供給され、矢印Ａ２で示すように、排気用送風機２６を介して室１１から排気ダクト２５へ所定量の空気が排出されている。給気ダクト２２から室１１に供給される空気量は、モータダンパ２７によって調節されている。システム１０では、排気用ダクト２５の内部を流れる空気に圧力変動が生じたとしても、定風量ユニット２４によってダクト２５の空気通過量が一定に保持され、常時一定量の空気が室１１の内部から排出される。排気装置状態検出手段では、局所排気装置１４の起動と停止とを排気用送風機３２のＯＮ／ＯＦＦによって判断する。
【００５８】
コントローラ１５のＣＰＵは、排気用送風機３２のスイッチがＯＦＦ状態にあると、排気装置１４が停止しているものと判断し、排気用送風機３２のスイッチがＯＦＦ状態からＯＮ状態になると、排気装置１４が起動したものと判断する。さらに、排気用送風機３２のスイッチがＯＮ状態からＯＦＦ状態になると、排気装置１４が停止したものと判断する。入力装置によって局所排気装置１４の空気排出量をコントローラ１５に入力すると、その空気排出量がコントローラ１５のメモリに格納される（排出量記憶手段）。コントローラ１５のメモリには、排気装置１４の空気排出量として２００（ｍ３／ｈ）が格納されているものとする。
【００５９】
室圧制御システム１０を起動させると、給気機構１２と排気機構１３とコントローラ１５とが稼動する。なお、局所排気装置１４は停止している。入力装置から室１１の目標室内気圧を入力すると、コントローラ１５のＣＰＵは、メモリに格納された第２相関関係を参照し、入力された目標室内気圧に対応する旋回羽根２９の第１開度を室内気圧−開度曲線Ｌ２から求め、モータダンパ２７の制御部２８に羽根２９の開度を求めた第１開度に維持する指令を出力する（開度制御手段）。ダンパ２７の制御部２８は、コントローラ１５からの指令に従い、モジュトロールモータによって羽根２９の開度を第１開度に変更し、第１開度を保持する。局所排気装置１４の停止中では、旋回羽根２９の開度を第１開度に保持することで、モータダンパ２７の空気流路を通る空気の空気量が一定に保持され、それによって、室１１の室内気圧が目標室内気圧に維持される。具体的には、図１のシステム１０と同様に、目標室内気圧が５Ｐａであり、旋回羽根２９の開度が４８％に保持されている。室圧制御システム１０は、第２相関関係を参照して室１１の目標室内気圧に対応する旋回羽根２９の第１開度を求め、局所排気装置１４の停止時に旋回羽根２９の開度を第１開度に保持するから、排気装置１４の停止中に室内気圧を目標室内気圧に維持することができる。
【００６０】
システム１０の稼働中に排気用送風機３２のスイッチがＯＮ状態になると、コントローラ１５のＣＰＵは、排気装置１４が起動したものと判断する（排気装置状態検出手段）。局所排気装置１４が起動すると、図５に矢印Ａ３で示すように、排気用送風機３２を介して室１１から排気ダクト３１へ所定量の空気が排出される。
【００６１】
コントローラ１５のＣＰＵは、排気装置１４が起動したと判断すると、空気量−開度曲線Ｌ１を参照し、第１開度に対応する第１空気量を求める。次に、局所排気装置１４の空気排出量を参照し、第１空気量から排気装置１４の空気排出量を加えて第２空気量を求めるとともに、空気量−開度曲線Ｌ１を参照し、第２空気量に対応する旋回羽根２９の第２開度を求め、旋回羽根２９の開度を第１開度から第２開度に変更する指令をモータダンパ２７の制御部２８に出力する（開度制御手段）。モータダンパ２７の制御部２８は、コントローラ１５からの指令に従い、モジュトロールモータによって羽根２９の開度を第１開度から第２開度に変更し、第２開度を保持する。旋回羽根２９の開度を第２開度に保持することで、室１１の室内気圧が目標室内気圧に維持される。具体的には、図６に示すように、目標室内気圧５Ｐａの第１開度４８％に対応する第１空気量２１００ｍ３／ｈを求め、第１空気量２１００ｍ３／ｈに局所排気装置の空気排出量２００ｍ３／ｈを加えて第２空気量２３００ｍ３／ｈを求めるとともに、第２空気量２３００ｍ３／ｈに対応する第２開度５６％を求める。旋回羽根の開度は、５６％に保持される。
【００６２】
この室圧制御システム１０は、モータダンパ２７の空気流路を通る第２空気量に局所排気装置１４の空気排出量を減じた空気量が第１空気量となるように、第１空気量に排気装置１４の空気排出量を加えるから、排気装置１４の停止中と起動中とにおいて目標室内気圧に対応する空気量に差が生じることはない。室圧制御システム１０は、局所排気装置１４の空気排出量にあわせてモータダンパ２７の旋回羽根２９の開度を制御することができ、排気装置１４が起動したとしても、室１１の室内気圧が目標室内気圧の範囲から外れることはなく、室内気圧を目標室内気圧に維持することができる。室圧制御システム１０は、局所排気装置１４が起動して室内気圧が目標室内気圧の範囲から外れた後に室内気圧を目標室内気圧に徐々に復帰させるフィードバック制御とは異なり、排気装置１４が起動した時点で、旋回羽根２９の開度を第１開度から第２開度に変更するから、室内気圧が目標室内気圧から外れることはなく、排気装置１４が設置された室１１において、室内気圧の変動がない空調環境を作ることができる。
【００６３】
システム１０の稼働中に排気用送風機３２のスイッチがＯＮ状態からＯＦＦ状態になると、コントローラ１５のＣＰＵは、排気装置１４が停止したものと判断する（排気装置状態検出手段）。ＣＰＵは、排気装置１４が停止したと判断すると、旋回羽根２９の開度を第２開度から第１開度に変更する指令をモータダンパ２７の制御部２８に出力する（開度制御手段）。モータダンパ２７の制御部２８は、コントローラ１５からの指令に従い、モジュトロールモータによって羽根２９の開度を第２開度から第１開度に変更し、第１開度を保持する。排気装置１４が停止した後、旋回羽根２９の開度を第１開度に保持することで、室１１の室内気圧が目標室内気圧に維持される。この室圧制御システム１０は、起動中の局所排気装置１４が停止すると、旋回羽根２９の開度を第２開度から第１開度に変更するから、排気装置１４が停止した後においてフィードバック制御を行うことなく、室内気圧を目標室内気圧に維持することができる。
【００６４】
図７は、他の一例として示す室圧制御システム１０の概念図であり、図８は、図２と同様の第１相関関係と第２相関関係とを示す図である。図７では、室１１をその側方から示している。図７の室圧制御システム１０が図５のそれと異なるところは、室１１に２つの局所排気装置１４Ａ，１４Ｂと２つの局所給気装置３３Ａ，３３Ｂとが設置されている点にあり、その他の構成は図５の室圧制御システム１０と同一であるから、図５と同一の符号を付すことで、このシステム１０のその他の構成の説明は省略する。なお、図示はしていないが、室１１の内部には、物品の加工時に塵や微粉、ガス等の不要物が発生する器具や機械が設置され、物品の加工時に熱が発生する器具や機械が設置されている。
【００６５】
それら局所排気装置１４Ａ，１４Ｂは、塵や微粉、ガス等の不要物を室１１の内部の空気とともに吸引し、不要物を含む空気を室外に排出する。排気装置１４Ａ，１４Ｂは、室１１の一部から室外に空気を流出させる排気ダクト３１Ａ，３１Ｂ（排気管路）と、室１１から所定量の空気を強制的に排出する排気用送風機３２Ａ，３２Ｂとから形成されている。排気用送風機３２Ａ，３２Ｂには、線路を介して所定の電力が供給されている。排気用送風機３２Ａ，３２Ｂは、その制御部（図示せず）がインターフェイス３０を介してコントローラ１５に接続されている。室１１の内部に延びる排気ダクト３１Ａ，３１Ｂの端部は、不要物が発生する器具や機械の近傍に配置される。
【００６６】
それら局所給気装置３３Ａ，３３Ｂは、器具や機械の熱を冷却し、器具や機械の熱による損傷を防止する。給気装置３３Ａ，３３Ｂは、室１１の一部に空気を供給する給気ダクト３４Ａ，３４Ｂ（給気管路）と、室１１に所定量の空気を強制的に供給する給気用送風機３５Ａ，３５Ｂとから形成されている。給気用送風機３５Ａ，３５Ｂには、線路を介して所定の電力が供給されている。給気用送風機３５Ａ，３５Ｂは、その制御部（図示せず）がインターフェイス３０を介してコントローラ１５に接続されている。空気は、給気用送風機３５Ａ，３５Ｂからダクト３４Ａ，３４Ｂを通って室１１の内部に流入する。室１１の内部に延びる給気ダクト３４Ａ，３４Ｂの端部は、熱が発生する器具や機械の近傍に配置される。
【００６７】
コントローラ１５は、ＣＰＵとメモリとを有するコンピュータである。コントローラ１５には、線路を介して所定の電力が供給されている。コントローラ１５のＣＰＵは、図１のコントローラ１５のＣＰＵが実行する手段に加え、局所給気装置３３Ａ，３３Ｂから供給される空気の空気供給量を記憶する供給量記憶手段、局所給気装置３３Ａ，３３Ｂの起動と停止とを検出する給気装置状態検出手段を実行する。コントローラ１５のメモリには、第１相関関係生成手段によって生成された第１相関関係が空気量−開度曲線Ｌ１（図表）として格納され（第１相関関係記憶手段）、第２相関関係生成手段によって生成された第２相関関係が室内気圧−開度曲線Ｌ２（図表）として格納されている（第２相関関係記憶手段）（図８参照）。コントローラ１５が行う第１相関関係の生成手順と第２相関関係の製せ手順とは図１のそれらと同一であるから、それらの説明は省略する。
【００６８】
この室圧制御システム１０では、図７に矢印Ａ１で示すように、給気用送風機２３を介して給気ダクト２２から室１１の内部へ所定量の空気が供給され、矢印Ａ２で示すように、排気用送風機２６を介して室１１から排気ダクト２５へ所定量の空気が排出されている。給気ダクト２２から室１１に供給される空気量は、モータダンパ２７によって調節されている。システム１０では、排気用ダクト２５の内部を流れる空気に圧力変動が生じたとしても、定風量ユニット２４によってダクト２５の空気通過量が一定に保持され、常時一定量の空気が室１１の内部から排出される。排気装置状態検出手段では、局所排気装置１４Ａ，１４Ｂの起動と停止とを排気用送風機３２Ａ，３２ＢのＯＮ／ＯＦＦによって判断する。給気装置状態検出手段では、局所給気装置３３Ａ，３３Ｂの起動と停止とを給気用送風機３５Ａ，３５ＢのＯＮ／ＯＦＦによって判断する。
【００６９】
コントローラ１５のＣＰＵは、排気用送風機３２Ａ，３２Ｂおよび給気用送風機３５Ａ，３５ＢのスイッチがＯＦＦ状態にあると、排気装置１４Ａ，１４Ｂおよび給気装置３３Ａ，３３Ｂが停止しているものと判断し、排気用送風機３２Ａ，３２Ｂおよび給気用送風機３５Ａ，３５ＢのスイッチがＯＦＦ状態からＯＮ状態になると、排気装置１４Ａ，１４Ｂおよび給気装置３３Ａ，３３Ｂが起動したものと判断する。さらに、排気用送風機３２Ａ，３２Ｂおよび給気用送風機３５Ａ，３５ＢのスイッチがＯＮ状態からＯＦＦ状態になると、排気装置１４Ａ，１４Ｂおよび給気装置３３Ａ，３３Ｂが停止したものと判断する。入力装置によって局所排気装置１４Ａ，１４Ｂの空気排出量と局所給気装置３３Ａ，３３Ｂの空気供給量とをコントローラ１５に入力すると、それら空気排出量とそれら空気供給量とがコントローラ１５のメモリに格納される（排出量記憶手段、供給量記憶手段）。コントローラ１５のメモリには、排気装置１４Ａの空気排出量として４００（ｍ３／ｈ）が格納され、排気装置１４Ｂの空気排出量として１００（ｍ３／ｈ）が格納されているものとする。さらに、給気装置３３Ａの空気供給量として２００（ｍ３／ｈ）が格納され、給気装置３３Ｂの空気供給量として１００（ｍ３／ｈ）が格納されているものとする。
【００７０】
室圧制御システム１０を起動させると、給気機構１２と排気機構１３とコントローラ１４とが稼動する。なお、局所排気装置１４Ａ，１４Ｂおよび局所給気装置３３Ａ，３３Ｂは停止している。入力装置から室１１の目標室内気圧を入力すると、コントローラ１５のＣＰＵは、メモリに格納された第２相関関係を参照し、入力された目標室内気圧に対応する旋回羽根２９の第１開度を室内気圧−開度曲線Ｌ２から求め、モータダンパ２７の制御部２８に羽根２９の開度を求めた第１開度に維持する指令を出力する（開度制御手段）。ダンパ２７の制御部２８は、コントローラ１５からの指令に従い、モジュトロールモータによって羽根２９の開度を第１開度に変更し、第１開度を保持する。局所排気装置１４Ａ，１４Ｂや局所給気装置３３Ａ，３３Ｂの停止中では、旋回羽根２９の開度を第１開度に保持することで、モータダンパ２７の空気流路を通る空気の空気量が一定に保持され、それによって、室１１の室内気圧が目標室内気圧に維持される。具体的には、図１のシステム１０と同様に、目標室内気圧が５Ｐａであり、旋回羽根２９の開度が４８％に保持されている。室圧制御システム１０は、第２相関関係を参照して室１１の目標室内気圧に対応する旋回羽根２９の第１開度を求め、局所排気装置１４Ａ，１４Ｂや局所給気装置３３Ａ，３３Ｂの停止時に旋回羽根２９の開度を第１開度に保持するから、排気装置１４Ａ，１４Ｂや給気装置３３Ａ，３３Ｂの停止中に室内気圧を目標室内気圧に維持することができる。
【００７１】
システム１１０の稼働中に排気用送風機３２Ａ，３２Ｂおよび給気用送風機３５Ａ，３５ＢのスイッチがＯＮ状態になると、コントローラ１５のＣＰＵは、排気装置１４Ａ，１４Ｂや給気装置３３Ａ，３３Ｂが起動したものと判断する（排気装置状態検出手段、給気装置状態検出手段）。局所排気装置１４Ａ，１４Ｂが起動すると、図７に矢印Ａ３で示すように、排気用送風機３２Ａ，３２Ｂを介して室１１から排気ダクト３１Ａ，３１Ｂへ所定量の空気が排出される。局所給気装置３３Ａ，３３Ｂが起動すると、図７に矢印Ａ４で示すように、給気用送風機３５Ａ，３５Ｂを介して給気ダクト３４Ａ，３４Ｂから室１１に所定量の空気が供給される。
【００７２】
コントローラ１５のＣＰＵは、局所排気装置１４Ａ，１４Ｂおよび局所給気装置３３Ａ，３３Ｂが起動したと判断すると、空気量−開度曲線Ｌ２を参照し、第１開度に対応する第１空気量を求める。次に、局所排気装置１４Ａ，１４Ｂの空気排出量を参照しつつ、局所給気装置３３Ａ，３３Ｂの空気供給量を参照し、第１空気量から排気装置１４Ａ，１４Ｂの空気排出量を加えるとともに給気装置３３Ａ，３３Ｂの空気供給量を減じて第２空気量を求める。ＣＰＵは、空気量−開度曲線Ｌ１を参照し、第２空気量に対応する旋回羽根２９の第２開度を求め、旋回羽根２９の開度を第１開度から第２開度に変更する指令をモータダンパ２７の制御部２８に出力する（開度制御手段）。モータダンパ２７の制御部２８は、コントローラ１５からの指令に従い、モジュトロールモータによって羽根２９の開度を第１開度から第２開度に変更し、第２開度を保持する。旋回羽根２９の開度を第２開度に保持することで、室１１の室内気圧が目標室内気圧に維持される。
【００７３】
具体的には、図８に示すように、目標室内気圧５Ｐａの第１開度４８％に対応する第１空気量２１００ｍ３／ｈを求め、第１空気量２１００ｍ３／ｈにそれら排気装置１４Ａ，１４Ｂの総空気排出量５００ｍ３／ｈを加えるとともにそれら給気装置３３Ａ，３３Ｂの総空気供給量３００ｍ３／ｈを減じて第２空気量２３００ｍ３／ｈを求めた後、第２空気量２３００ｍ３／ｈに対応する第２開度５５％を求める。旋回羽根２９の開度は、５５％に保持される。なお、それら排気装置１４Ａ，１４Ｂおよびそれら給気装置３３Ａ，３３Ｂのうち、排気装置１４Ｂと給気装置３３Ｂとが起動すると、第１空気量２１００ｍ３／ｈから排気装置１４Ｂの空気排出量１００ｍ３／ｈを加えるとともに給気装置３３Ｂの空気供給量１００ｍ３／ｈを減じて第２空気量２１００ｍ３／ｈを求めた後、第２空気量２１００ｍ３／ｈに対応する第２開度４８％を求める。旋回羽根２９開度は、４８％に保持される。
【００７４】
この室圧制御システム１０は、モータダンパ２７の空気流路を通る第２空気量に局所排気装置１４Ａ，１４Ｂの空気排出量と給気装置３３Ａ，３３Ｂの空気供給量との差を加えた空気量が第１空気量となるように、第１空気量に排気装置１４Ａ，１４Ｂの空気排出量を加えるとともに給気装置３３Ａ，３３Ｂの空気供給量を減じるから、排気装置１４Ａ，１４Ｂや給気装置３３Ａ，３３Ｂの停止中と起動中とにおいて目標室内気圧に対応する空気量に差が生じることはない。室圧制御システム１０は、局所排気装置１４Ａ，１４Ｂの空気排出量と局所給気装置３３Ａ，３３Ｂの空気供給量とにあわせてモータダンパ２７の旋回羽根２９の開度を制御することができ、それら排気装置１４Ａ，１４Ｂやそれら給気装置３３Ａ，３３Ｂが起動したとしても、室１１の室内気圧が目標室内気圧の範囲から外れることはなく、室内気圧を目標室内気圧に維持することができる。室圧制御システム１０は、排気装置１４Ａ，１４Ｂや給気装置３３Ａ，３３Ｂが起動して室内気圧が目標室内気圧の範囲から外れた後に室内気圧を目標室内気圧に徐々に復帰させるフィードバック制御とは異なり、排気装置１４Ａ，１４Ｂや給気装置３３Ａ，３３Ｂが起動した時点で、旋回羽根２９の開度を第１開度から第２開度に変更するから、室内気圧が目標室内気圧から外れることはなく、排気装置１４Ａ，１４Ｂや給気装置３３Ａ，３３Ｂが設置された室１１において、室内気圧の変動がない空調環境を作ることができる。
【００７５】
システム１０の稼働中に排気用送風機３２Ａ，３２ＢのスイッチがＯＮ状態からＯＦＦ状態になり、給気用送風機３５Ａ，３５ＢのスイッチがＯＮ状態からＯＦＦ状態になると、コントローラ１５のＣＰＵは、排気装置１４Ａ，１４Ｂおよび給気装置３３Ａ，３３Ｂが停止したものと判断する（排気装置状態検出手段、給気装置状態検出手段）。ＣＰＵは、排気装置１４Ａ，１４Ｂおよび給気装置３３Ａ，３３Ｂが停止したと判断すると、旋回羽根２９の開度を第２開度から第１開度に変更する指令をモータダンパ２７の制御部２８に出力する（開度制御手段）。モータダンパ２７の制御部２８は、コントローラ１５からの指令に従い、モジュトロールモータによって羽根２９の開度を第２開度から第１開度に変更し、第１開度を保持する。排気装置１４Ａ，１４Ｂおよび給気装置３３Ａ，３３Ｂが停止した後、旋回羽根２９の開度を第１開度に保持することで、室１１の室内気圧が目標室内気圧に維持される。この室圧制御システム１０は、起動中の局所排気装置１４Ａ，１４Ｂや局所給気装置３３Ａ，３３Ｂが停止すると、旋回羽根２９の開度を第２開度から第１開度に変更するから、排気装置１４Ａ，１４Ｂや給気装置３３Ａ，３３Ｂが停止した後においてフィードバック制御を行うことなく、室内気圧を目標室内気圧に維持することができる。
【００７６】
それら図示の室圧制御システム１０は、第２相関関係から目標室内気圧に対応する第１開度を求めることができるから、室内の気圧を常時測定して測定気圧と目標室内気圧とを一致させるフィードバック制御を行うことなく、室内気圧を目標室内気圧に保持することができる。それら図示の室圧制御システム１０は、室１１の内部にフィードバック制御の制御要素を形成する室圧センサを設置する必要はなく、システム１０の簡略化や低コスト化、省スペース化を図ることができる。それら図示の室圧制御システム１０は、第１相関関係を参照して第１開度に対応する第１空気量を求めるから、室１１の目標室内気圧が変更されることによって第１開度が変動したとしても、第１相関関係から第１開度に対応する第１空気量を求め、第１空気量から第２空気量を求めることができるとともに、第２空気量に対応する旋回羽根２９の第２開度を一連に求めることができる。
【図面の簡単な説明】
【００７７】
【図１】一例として示す室圧制御システムの構成図。
【図２】コントローラのメモリに格納された第１相関関係と第２相関関係とを示す図。
【図３】他の一例として示す室圧制御システムの構成図。
【図４】コントローラのメモリに格納された第１相関関係と第２相関関係とを示す図。
【図５】他の一例として示す室圧制御システムの構成図。
【図６】コントローラのメモリに格納された第１相関関係と第２相関関係とを示す図。
【図７】他の一例として示す室圧制御システムの構成図。
【図８】コントローラのメモリに格納された第１相関関係と第２相関関係とを示す図。
【符号の説明】
【００７８】
１０          室圧制御システム
１１          室
１２          給気機構
１３          排気機構
１４          局所排気装置
１５          コントローラ（制御装置）
２２          給気ダクト
２３          給気用送風機
２４          定風量ユニット（定風量調整装置）
２５          排気ダクト
２６          排気用送風機
２７          モータダンパ（ダンパ装置）
２８          制御部
２９          旋回羽根
３１          排気ダクト
３２          排気用送風機
３３          局所給気装置
３４          給気ダクト
３５          給気用送風機
【図１】
2008151483.tif 000003
【図２】
2008151483.tif 000004
【図３】
2008151483.tif 000005
【図４】
2008151483.tif 000006
【図５】
2008151483.tif 000007
【図６】
2008151483.tif 000008
【図７】
2008151483.tif 000009
【図８】
2008151483.tif 000010